(57)【要約】　　　（修正有）【課題】容易に所望の量の薬味を挽くことができ、小型で構造簡単な電動型の粒状薬味用ミルを提供する。【解決手段】ハウジング１００には操作ボタン１７ａをハウジングから臨出させて備える操作部材１７が押圧操作可に設けられ、粒状薬味を供給するシューター２１２が下端開口を回転臼２２、２３に臨ませている。回転臼上部開口とシューター下端開口との間にリング状のスリッター５を設け、そのリング状の外周部に粒状薬味の所定粒数を受け入れるスリット５ａ１を設け、スリッター５は常時はスリット５ａ１をシューター２１２下端開口に位置させてシューター内に収容された粒状薬味の所定数をスリット５ａ１内に受け入れておくとともに下方への落下を規制される状態で停止し、所定粒数の粒状薬味を回転臼に対し落下させて供給し、同時にモーター８により回転臼が作動し薬味を挽く。【選択図】　　図１
2004130041.tif 000002
【特許請求の範囲】
【請求項１】
片手で把持可能な形状のハウジングと、
前記ハウジング内に備える電源装置と、
前記ハウジング内に備え前記電源装置から電源供給されるモーターにより駆動され上部開口から粒状薬味を受け入れ、これを挽く回転臼と、
前記回転臼上方に備え、粒状薬味を収容し下端開口から粒状薬味を供給するシューターと、
把持した片手で操作可能な操作ボタンを前記ハウジングから臨出させて備える操作手段と、
前記操作手段を操作ボタンにより操作することで前記回転臼に対し１粒又は複数粒の所定粒数の粒状薬味を供給する手段と、を備えることを特徴とする粒状薬味用ミル。
【請求項２】
操作手段を操作することによって回転臼に対し１粒又は複数粒の所定粒数の粒状薬味を供給する手段は、
ハウジング内の回転臼上部開口とシューター下端開口との間に、操作手段の操作により所定角度回動し、操作中止によって元位置に復帰するリング状又はディスク状のスリッターを設け、
前記スリッターの外周部に、粒状薬味の所定粒数を受け入れるスリットを設け、
前記スリッターは、常時は前記スリットをシューター下端開口に位置させてシューター内に収容された粒状薬味の所定数をスリット内に受け入れておき、かつスリット内の粒状薬味の下方への落下を規制される状態で停止し、操作手段の操作時に前記スリットをシューターの下端開口の範囲外であり、かつ、スリット内の粒状薬味が下方への落下を許容される位置にまで所定角度回動し、所定粒数の粒状薬味を回転臼に対し落下させて供給するようにしたことを特徴とする請求項１に記載の粒状薬味用ミル。
【請求項３】
操作手段を操作する回数によって所定粒数の前記回数の倍数の粒状薬味を供給することを特徴とする請求項１、２に記載の粒状薬味用ミル。
【請求項４】
操作手段は、モーターの電源開閉スイッチ操作に連動することを特徴とする請求項１、２、３に記載の粒状薬味用ミル。
【発明の詳細な説明】
【０００１】
【発明の属する技術分野】
本発明は粒状の食品を臼で挽いて粉末状とする、いわゆるミルに関し、とくに薬味用の同装置に関する。
【０００２】
【従来の技術】
従来から固定部分と回転部分とを備え、両手でそれぞれの部分を把持して回転させて粒状の胡椒や山椒などを挽く装置は知られている。
【０００３】
【発明が解決しようとする課題】
このような装置においては所要量の香辛料が容易に得られることが要求されるが、最適な所要量を得ることが難しく、経験に基づいて操作することになるが、挽かれた香辛料が不足か、あるいは過量の香辛料を挽いてしまうことが多発するものであった。本発明は、容易に所望の量の薬味を挽くことができ、しかも操作簡単な小型の粒状薬味用ミルを提供することを目的とする。
【０００４】
【課題を解決するための手段】
この課題を解決するために本発明は、片手で把持可能な形状のハウジング内に乾電池や充電池等を電源として収容し、これでモーターを駆動し、回転臼を作動させるようにした。そして回転臼上方からシューターにより薬味を供給する。モーターの電源は把持した片手で操作可能な操作ボタンをハウジングから臨出させて備え、これで電源のスイッチを開閉するようにした。小型で効率よく粒状薬味を挽くことができる粒状薬味用ミルが提供されるものとなった。
【０００５】
また、挽こうとする粒状薬味を収容しておき供給するシューターの下端開口と、これを受け入れて挽く回転臼との間に、回動可能なスリッターを配置し、このスリッターに一粒あるいは所定粒数の薬味を受け入れるスリットを設け、スリッターを常時はスリット中の薬味が臼に向けて供給されるのを規制される位置に待機させ、ハウジングから外部に臨出させた操作部材を手で操作することでスリッターを所定角度回動させてスリットを移動させ、スリット中の薬味が臼に向けて供給される位置まで持ちきたすようにした。この位置ではスリット中の薬味粒だけが落下して臼内に供給され、操作を解除するとスリッターは元の位置までスプリングによって復帰し、再びシューターから薬味粒を受け入れて次の操作に備えるようにしておく。スリットの薬味粒収容粒数を１粒としておけば１粒ずつ、２粒とすれば２粒ずつ、所望の粒数の薬味を処理することができる。また、操作の動作を複数回行えば、スリット中の薬味粒数の、操作回数倍の粒数を処理でき、幅広い要求に対応することができる。
【０００６】
操作部材は回転臼を駆動するモーターの電源をオン、オフするスイッチをも制御するようにしておく。このようにすれば操作の都度、確実に薬味粒を挽くことができる。
【０００７】
【発明の実施の形態】
本発明の請求項１に記載の発明は、片手で把持可能な形状のハウジングと、前記ハウジング内に備える電源装置と、前記ハウジング内に備え前記電源装置から電源供給されるモーターにより駆動され上部開口から粒状薬味を受け入れ、これを挽く回転臼と、前記回転臼上方に備え、粒状薬味を収容し下端開口から粒状薬味を供給するシューターと、把持した片手で操作可能な操作ボタンを前記ハウジングから臨出させて備える操作手段と、前記操作手段を操作ボタンにより操作することで前記回転臼に対し１粒又は複数粒の所定粒数の粒状薬味を供給する手段とを備えることとしたものであり、簡単な操作で一粒からでも挽くことができるという作用を有する。
【０００８】
請求項２に記載の発明は、前記請求項１において、操作手段を操作することによって回転臼に対し１粒又は複数粒の所定粒数の粒状薬味を供給する手段は、ハウジング内の回転臼上部開口とシューター下端開口との間に、操作手段の操作により所定角度回動し、操作中止によって元位置に復帰するリング状又はディスク状のスリッターを設け、前記スリッターの外周部に、粒状薬味の所定粒数を受け入れるスリットを設け、前記スリッターは、常時は前記スリットをシューター下端開口に位置させてシューター内に収容された粒状薬味の所定数をスリット内に受け入れておき、かつスリット内の粒状薬味の下方への落下を規制される状態で停止し、操作手段の操作時に前記スリットをシューターの下端開口の範囲外であり、かつ、スリット内の粒状薬味が下方への落下を許容される位置にまで所定角度回動し、所定粒数の粒状薬味を回転臼に対し落下させて供給するようにしたものであり、簡単な操作で確実に一粒からでも少量の薬味を挽くことができるという作用を有する。
【０００９】
請求項３に記載の発明は、前記請求項１、２において、操作手段を操作する回数によって所定粒数の前記回数の倍数の粒状薬味を供給することとしたものであり、最適量の薬味を容易に得ることができるという作用を有する。
【００１０】
請求項４に記載の発明は、前記請求項１、２、３において、操作手段は、モーターの電源開閉スイッチ操作に連動することとしたものであり、構造、操作が簡単で動作が確実な装置を得ることができるという作用を有する。
【００１１】
（実施の形態１）
本実施の形態においては、請求項１、２、及び３に対応するものとして、まとめて記述する。
【００１２】
図１及び図２はともに本発明の粒状薬味用ミルの、それぞれ角度を変えた断面図であり、内部の構造を説明している。両図において、１００は全体を包み込むハウジングであって、人の片手で把持しやすいように高さ中央付近をくびらせ、丸みを帯びた円筒状の形状とし、符号１２５の下ケース、符号１０６中ケース、符号１１６の外ケース、そして符号１２７の上蓋とからなっており、それぞれは樹脂で形成されており、薬味の供給や取り出し、あるいは清掃のために相互に着脱可能としているが、その構造詳細は省略する。下ケース１２５の下部には脚２６が３個取り付けられ、卓上等へ置く場合の安定を図っている。
【００１３】
１は下ギヤケース、７は上ギヤケースであって、ともに中ケース１０６に取り付けられて両者間に後述のギヤ群が収容される構造である。また、１９は外ケース１１６内上方に設けた電池ケースで、後述のモーターを駆動する電源となる乾電池１９ａが収容される。２０は電池ケース１９の上部開口を閉じる着脱可能な電池蓋である。なお、乾電池１９ａは充電池など他の種類の電池であってもよい。
【００１４】
８はモーターである。上ギヤケース７の上面に取り付けられて、前述の電池ケース１９内の電池１９ａで駆動され、下方に延びた軸先端のギヤ９を回転させる。一方、下ケース１２５内には回転臼が配置され、回転臼を構成する一方の外ウス２２は下ギヤケース１の下面に固定して取り付けられ、他方の内ウス２３は回転臼軸１５及び図示省略のギヤ群を介して前記ギヤ９により駆動され回転する。外ウス２２と内ウス２３のそれぞれが備える斜面で接する接触面間で、この部分に上方から供給される粒状薬味の粉砕が行われるがその構造は公知であるので詳述は省略する。内ウス２３の下部にはネジ２３ａが延設されていてこれにナット状のウス止め２４がねじ込まれ、ウス止め２４を回して調整することにより内ウス２３先端と回転臼軸１５下端との間に架装された圧縮型のコイルスプリング２２３の付勢力が変化して粉砕の粒度のレベルが調整される構造である。粉砕された粒状薬味は下ケース１２５下方の開口から落下する。
【００１５】
図２において１７は操作部材であり、レバー状の部材であって、ハウジング１００の外ケース１１６に設けた縦長窓状の開口から操作部材１７の上方寄りに設けたスイッチボタン１７ａを外方へ臨出させ、支点１７ｃで外ケース１１６に軸支されて回動可能としてあり、操作部材１７の下端１７ｃは後述のスイッチ１１の作動片などを押圧する。操作ボタン１７ａの位置はハウジング１００の外径をややくぼませた位置付近に配置して片手で操作しやすくしてある。
【００１６】
図１における１２はシューター本体である。１８のシューター蓋とで上部をやや太くした筒状のシューター２１２を構成し、挽こうとする粒状薬味を収容し下方へ供給する機能を有する。シューター２１２はハウジング１００の外周寄りに縦方向に配置され、その上端は外ケース１１６の上端付近で開口し、この部分から挽こうとする粒状薬味を補給する。その下端は回転臼の上部に向けて開口している。なお、シューター２１２には常時薬味が収容されているのでその残量を認知しやすいように透明材で形成し、併せてハウジング１００の該当部位を透明材としてもよい。
【００１７】
図１、図２において、５はスリッターである。大小二つのリングを半径方向に一箇所あるいは数箇所の腕で結合した部材であり、小径部５ｂの内径部が回転臼軸１５の外周を軸として回動するようになっている。小径部５ｂの下部外径には歯車５ｇが設けてある。また、図３に示すスリッター５付近の透視図で見られるように、大径部５ａの外周にはスリット５ａ１が形成されている。このスリット５ａ１は大径部５ａの円周に沿った長さが、挽こうとする粒状薬味の一粒の大きさか、あるいはその整数倍に設定してあり、操作部１回の操作で処理しようとする粒数を円弧に沿って１列に並べ得る形状寸法である。なお、スリット５ａ１内の粒状薬味の外周方向への脱落規制は下ギヤケース１から延設した壁面１ｈあるいは中ケース１１６から延設した壁面１１６ｈによって行われる。
【００１８】
図３から図８を併用して本実施の形態における回転臼に対し１粒乃至複数粒の所定粒数の粒状薬味を供給する手段の構造の補足と併せて動作を説明する。
【００１９】
図３、図４、図７はいずれもスリッター５が待機位置にある状態、すなわち操作部材１７が操作されない状態のもので、図３はスリッター５付近の透視上面図、図４は図３のＢ′断面図、図７は斜視図である。
【００２０】
図３で理解されるように、シューター２１２の下端はスリッター５の大径部５ａの外周円弧に沿って広げてあり、従ってシューター２１２内に収容された薬味粒の最下部にある複数の粒数の薬味粒Ｙが大径部５ａの上面に接している。さらに図４で理解されるようにシューター２１２の上部には複数の薬味粒Ｙが待機供給されている状態である。そしてその中で本実施の形態１では両図のように１個の薬味粒Ｙ１のみがスリット５ａ１内に入り込むようになっている。そしてその薬味粒Ｙ１は、図４のように下ギヤケース１の上部に形成した係止部１ｓによって係止され、落下を規制されており、また、外周方向への脱落規制は下ギヤケース１から延設した壁面１ｈあるいは中ケース１１６から延設した壁面１１６ｈによって行われる。また１個の薬味粒Ｙ１のほかは前記したようにスリッター５の大径部５ａの上面に当接させた状態である。
【００２１】
図３によってスリッター２１２を回動する構造を説明する。２はラックであり、Ｌ字状の部材の一辺にラック歯車２ｇが設けてあり、スリッター歯車３と噛み合い、スリッター歯車３は、スリッター２１２の小径部５ｂの外周下方に一体に設けた歯車５ｇと噛み合う構造である。ラック２のＬ字状の他辺２ｔは操作部材１７の下端１７ｃに押圧される位置に配置される。４はスプリングであり、ラック２を常時矢印Ａ方向へ付勢するように設定してある。従って操作部材１７は図２における矢印Ｂ方向へ常時付勢されている。この状態は図７の斜視図でも理解されよう。
【００２２】
図３、図４、図７の状態は操作部材１７が操作されない、いわば待機状態である。この状態から操作部材１７の操作ボタン１７ａを図２における矢印Ｂ方向とは逆の方向に押す。押し込める範囲は図示しない機構によって規制されている。ラック２はスプリング４の付勢力に抗して図３の矢印Ａ方向とは逆の方向に移動する。ラック２のラック歯車２ｇはスリッター歯車３を駆動し、スリッター歯車３はスリッター２１２の歯車５ｇを駆動する。スリッター２１２は図３における矢印Ｃ方向に回動する。所定角度回動した状態で回動を規制されて操作終了停止する。
【００２３】
この状態が図５、図６、図８に示されている。スリッター５の所定角度の回動はスリット５ａ１を移動させる。その停止位置は図３における下ギヤケース１にガイド１ａを設けた位置である。このガイド１ａの位置には係止部１ｓが欠如しているのでスリット５ａ１内の粒状薬味Ｙ１は落下規制を解除され、ガイド１ａに沿って落下し、下方の回転臼２２、２３に向け落下し、回転臼の動作によって所定の粒度に挽かれる。
【００２４】
操作部材１７の操作ボタン１７ａの操作押圧を解除すると、スプリング４の付勢力により前記とは逆の動作でスリッター５は図３の位置に復帰する。再びスリット５ａ１内に別の粒状薬味が入り込み、次の操作に備えて待機する。
【００２５】
スリット５ａ１の大きさ、即ちスリット５ａ１の円周に沿った長さは本実施の形態では挽こうとする粒状薬味の一粒の大きさとしたが、その整数倍に設定しておけば、より多量の粒数を挽くことができる。
【００２６】
また、操作部材の操作は前記では１回のみとしたが、操作する回数をＮ回とすれば、スリット５ａ１内に収容される粒数に対しＮ倍の粒状薬味を供給することもでき、幅広い要求にも精度よく対応することができる。
【００２７】
このように本実施の形態１によれば操作部材１７の操作によってスリット５ａ１内の粒状薬味のみが挽かれるので確実に所望の量の薬味を得ることができる。
【００２８】
（実施の形態２）
本実施の形態２は請求項４に対応するものである。
【００２９】
図２において、１１はスイッチである。小型のマイクロスイッチ等で構成し、回路図は省略するがハウジング内の乾電池を収容する電池ケース１９に備える電気接点とモーター８の端子との回路間に挿入される。スイッチ１１は上ギヤケース７の面に取り付けられ、スイッチ１１の作動片１１ａは操作部材１７の操作によって押圧される位置に配置される。従って操作部材１７の操作ボタン１７ａを操作押圧することによって前記したようにスリッター１７が回動して所定量の薬味が回転臼に供給されるのと同時に、スイッチ１１がオンとなり、モーター８を作動させ、回転臼の内ウス２３を回転させ、供給される薬味粒を挽く。挽かれた薬味は下ケース２５の下方開口から落下し、供用される。
【００３０】
操作ボタン１７ａの操作押圧を解除すると、スプリング４の付勢力により操作部材１７は元に復帰し、スイッチ１１の作動片１１ａも押圧を解除されるので、回路は断たれモーター８は停止する。
【００３１】
このように本実施の形態２によれば、操作部材１７の操作に連動して回転臼を作動させ、所望の量のみの薬味を得ることができる。
【００３２】
なお、以上の説明ではスリッター５をリング状とした例で説明したが、ディスク状の形状とすることも実施可能である。
【００３３】
【発明の効果】
以上のように本発明の請求項１によれば、片手で把持可能な形状のハウジングと、前記ハウジング内に備える電源装置と、前記ハウジング内に備え前記電源装置から電源供給されるモーターにより駆動され上部開口から粒状薬味を受け入れ、これを挽く回転臼と、前記回転臼上方に備え、粒状薬味を収容し下端開口から粒状薬味を供給するシューターと、把持した片手で操作可能な操作ボタンを前記ハウジングから臨出させて備える操作手段と、前記操作手段を操作ボタンにより操作することで前記回転臼に対し１粒又は複数粒の所定粒数の粒状薬味を供給する手段とを備えるようにしたので、小型であり、片手での操作が可能で、しかも胡椒や山椒などの粒状薬味を１粒からの小単位で処理することができ、無駄な消費がないという有利な効果が得られる。
【００３４】
また、本発明の請求項２によれば、前記請求項１において、操作手段を操作することによって回転臼に対し１粒又は複数粒の所定粒数の粒状薬味を供給する手段は、ハウジング内の回転臼上部開口とシューター下端開口との間に、操作手段の操作により所定角度回動し、操作中止によって元位置に復帰するリング状又はディスク状のスリッターを設け、前記スリッターの外周部に、粒状薬味の所定粒数を受け入れるスリットを設け、前記スリッターは、常時は前記スリットをシューター下端開口に位置させてシューター内に収容された粒状薬味の所定数をスリット内に受け入れておき、かつスリット内の粒状薬味の下方への落下を規制される状態で停止し、操作手段の操作時に前記スリットをシューターの下端開口の範囲外であり、かつ、スリット内の粒状薬味が下方への落下を許容される位置にまで所定角度回動し、所定粒数の粒状薬味を回転臼に対し落下させて供給するようにしたので、小型であり、片手での操作が可能で、しかも胡椒や山椒などの粒状薬味を１粒からの小単位で処理することができ、さらに簡単な操作で最適な量の薬味を確実に得ることができるという有利な効果が得られる。
【００３５】
また、本発明の請求項３によれば、前記各請求項において、操作手段を操作する回数によって所定粒数の前記回数の倍数の粒状薬味を供給するようにしたので、処理する薬味の所望量を幅広いものとする有利な効果が得られる。
【００３６】
また、本発明の請求項４によれば、前記各請求項において、操作手段は、モーターの電源開閉スイッチ操作に連動することとしたので、操作を確実なものとする有利な効果が得られる。
【００３７】
以上総括して、食卓において好みに応じた量の胡椒や山椒などの薬味を無駄なく挽いて利用でき、動作が確実で構造も簡単、小型の粒状薬味用ミルを提供することができるものである。
【図面の簡単な説明】
【図１】本発明の粒状薬味用ミルの断面図である。
【図２】本発明の粒状薬味用ミルの図１とは別角度の断面図である。
【図３】本発明の粒状薬味用ミルの要部の透視図である。
【図４】図３のＢ′部断面図である。
【図５】本発明の粒状薬味用ミルの要部の透視図である。
【図６】図５のＢ部断面図である。
【図７】本発明の粒状薬味用ミルの要部の斜視図である。
【図８】本発明の粒状薬味用ミルの要部の斜視図である。
【符号の説明】
１　　　　下ギヤケース
２　　　　ラック
３　　　　スリッター歯車
４　　　　スプリング
５　　　　スリッター
５ａ１　　スリット
７　　　　上ギヤケース
８　　　　モーター
９　　　　ピニオン歯車
１１　　　　スイッチ
１５　　　　回転臼軸
１７　　　　操作部材
１７ａ　　　操作ボタン
１９　　　　電池ケース
２２　　　　外ウス
２３　　　　内ウス
２４　　　　ウス止め
１００　　　　ハウジング
１０６　　　　中ケース
１１６　　　　外ケース
１２５　　　　下ケース
２１２　　　　シューター
【図１】
2004130041.tif 000003
【図２】
2004130041.tif 000004
【図３】
2004130041.tif 000005
【図４】
2004130041.tif 000006
【図５】
2004130041.tif 000007
【図６】
2004130041.tif 000008
【図７】
2004130041.tif 000009
【図８】
2004130041.tif 000010